(57)【要約】【課題】操作が簡単で確実に除菌ができ、ランニングコストが安価な清掃器を提供する。【解決手段】被除菌物を収納する収納容器１２とミスト発生容器１３を接続し、前記ミスト発生容器１３内に、ミストを発生させるミスト発生手段２０と、発生させたミストを収納容器１２に送り込むファン２８と、ミスト発生容器１３内の塩水を電解して次亜塩素酸を生成する陽極２２と陰極２３の電極と、水位を検出する水位検出手段３０を設け、ミスト発生容器１３内の塩水を陽極２２と陰極２３で次亜塩素酸を含む略中性水を生成し、ミスト発生手段２０にてミストに霧化し、ファン２８にて外気をミスト発生容器１３に取り入れ、次亜塩素酸の混合したミストを収納容器１２に充満させ、内部の被除菌物を除菌することができ、操作が簡単で、ランニングコストが安く、確実に除菌のできる清掃器を提供することができる。【選択図】図１
2006158569.tif 000002
【特許請求の範囲】
【請求項１】
被除菌物を収納する収納容器と、前記収納容器に接続されたミスト発生容器と、前記ミスト発生容器内のミスト発生手段と、前記収納容器と前記ミスト発生容器を連通する連通孔と、前記ミスト発生容器に外気を取り入れる送風手段とを設けた清掃器。
【請求項２】
ミスト発生容器内に、水位を検出する水位検出手段を設けた請求項１記載の清掃器。
【請求項３】
水位検出手段を、フロートの位置を検出するセンサーで構成した請求項２記載の清掃器。
【請求項４】
ミスト発生容器内に電解水生成手段を設け、制御手段は、前記電解水生成手段で生成された電解水を、ミスト発生手段により霧化する構成とした請求項１〜３のいずれか１項に記載の清掃器。
【請求項５】
電解水生成手段は、陽極と陰極とで構成され、無隔膜電解を行なう構成とした請求項４記載の清掃器。
【請求項６】
電解水生成手段は、塩水を電解する構成とした請求項４または５に記載の清掃器。
【発明の詳細な説明】
【技術分野】
【０００１】
本発明は、子供の玩具や布巾等を除菌する清掃器に関するものである。
【背景技術】
【０００２】
従来の清掃を行うぬいぐるみクリ−ナ−としては、図３にその構造を示すものがある。
【０００３】
従来、ぬいぐるみ等を洗浄するぬいぐるみクリ−ナ−は、可撓性容器を外部からの押圧により変形し、内部のアルコ−ル等を含有した洗浄剤を噴霧し、泡状の洗浄剤でぬいぐるみ等を洗浄するものがあった（例えば、特許文献１参照）。
【０００４】
１は、ぬいぐるみクリ−ナ−本体で、外部からの押圧により塑性変形する可撓性容器３と、前記可撓性容器３上方の液体排出部４と、前記可撓性容器３内のアルコ−ル類を含んだ洗浄液５から構成されている。
【０００５】
上記構成による、作用は以下の通りである。
【０００６】
可撓性容器３を指等にて押付けると、前記可撓性容器３は塑性変形し、内部の洗浄液５が泡状になって液体排出部４より排出され、この洗浄液５をぬいぐるみ等に噴射することにより、洗浄及び除菌を行うことができる。
【特許文献１】特開平７−３２９８号公報
【発明の開示】
【発明が解決しようとする課題】
【０００７】
しかしながら前記従来のぬいぐるみクリ−ナ−においては、除菌を行う度に可撓性容器３を押して洗浄液を噴射する必要があり、操作が大変手間であると共に、洗浄液５を泡状にして噴射して洗浄するため、例えば、ぬいぐるみの毛根部分等の細かい部分まで洗浄液５が到達しにくく、また哺乳瓶等を洗浄する場合においても、底部等の奥まで洗浄液５が到達しにくいことがあり、そのとき除菌が完全に行えないという問題があった。
【０００８】
本発明は上記課題を解決するもので、処理毎の操作が簡単で使い易く、また確実に除菌ができる、優れた除菌器を提供することを目的とする。
【課題を解決するための手段】
【０００９】
上記従来の課題を解決するために本発明の清掃器は、被除菌物を収納する収納容器と、前記収納容器に接続されたミスト発生容器と、前記ミスト発生容器内のミスト発生手段と、前記収納容器と前記ミスト発生容器を連通する連通孔と、前記ミスト発生容器に外気を取り入れる送風手段を設けたものであり、被除菌物を収納容器内に収納し、ミスト発生手段と送風手段を動作させることにより、外部の空気をミスト発生容器内に押込むことにより、さらにミスト発生手段で発生させた除菌ミストを、連通孔を通じて収納容器内に充満させて、被除菌物を簡単に確実に除菌することができるものである。
【発明の効果】
【００１０】
本発明の清掃器は、ミスト発生手段で発生させた微細な除菌ミストを、収納容器内に充満させることで被除菌物を除菌し、また操作も収納容器に被除菌物を入れて電源を投入するだけで除菌できるため、操作が簡単で効果が確実な清掃器を提供することができる。
【発明を実施するための最良の形態】
【００１１】
第１の発明は、被除菌物を収納する収納容器と、前記収納容器に接続されたミスト発生容器と、前記ミスト発生容器内のミスト発生手段と、前記収納容器と前記ミスト発生容器を連通する連通孔と、前記ミスト発生容器に外気を取り入れる送風手段を設けたものであり、被除菌物を収納容器内に収納し、ミスト発生手段とファン手段を動作させることにより、ミスト発生手段で除菌ミストを発生させ、ファン手段で発生させた風をミスト発生容器内に送り込むことで、除菌ミストを連通孔を通じて収納容器内に充満させ、被除菌物を簡単に確実に除菌することができる。
【００１２】
第２の発明は、ミスト発生容器内に、水位を検出する水位検出手段を設けたものであり、ミスト発生手段は液体を超音波振動させてミストを発生させる構造のため、空気中でミスト発生手段を動作させたとき、液体の抵抗力が作用しないため、異常に高い周波数で振動することがあり、そのためミスト発生手段が破損する可能性があるが、水位を検出する水位検出手段を設け、水位が低いときにはミスト発生手段に通電しないようにすることで、ミスト発生手段の破損を防止することができる。
【００１３】
第３の発明は、水位検出手段を、フロートの位置を検出するセンサーで構成したものであり、液体の比重よりも小さい比重のフロ−トを使用し、液体に浮くことで水位に応じて確実にフロ−トが上下移動し、そのフロ−トの位置をセンサ−で検知するため、確実に水位の変化を検知することができ、より確かに動作を制御することができる。
【００１４】
第４の発明は、ミスト発生容器内に電解水生成手段を設け、前記電解水生成手段で生成された電解水をミスト発生手段により霧化するものであり、例えば、塩水を電解することで除菌効果のある次亜塩素酸を生成し、これを霧化して被除菌物を除菌することができるようになり、特別に除菌液を用意することが必要なく、簡単に除菌することができる。
【００１５】
第５の発明は、電解水生成手段は、陽極と陰極とで構成され、無隔膜電解を行なうものであり、無隔膜電解を行うことにより、明確に酸性水とアルカリ水に電解されることがなく、次亜塩素酸を含んだ略中性液を生成することが可能となり、除菌の取扱いが容易になるものである。
【００１６】
第６の発明は、電解水生成手段は塩水を電解するものであり、塩化ナトリウムを含んだ塩水を電解するため、電気を通電しやすく、電解の促進を行うことができ、早急に除菌水を生成することができるため、除菌時間を短縮することができる。
【００１７】
（実施の形態１）
以下、本発明の第１の実施の形態を、図１〜図２を用いて説明する。
【００１８】
図１は本発明の実施の形態における断面図であり、清掃器本体１１に、被除菌物を収納する収納容器１２と、除菌ミストを発生させるミスト発生容器１３が設けられている。
【００１９】
前記収納容器１２上方には、被除菌物を入れる蓋Ａ１４が開閉可能に設けられ、内部に被除菌物を入れた後、前記蓋Ａ１４を閉じることで、前記収納容器１２は密閉され、一方ミスト発生容器１３上方には、ミスト液を入れる蓋Ｂ１５が開閉可能に設けられ、内部にミスト液を入れた後、前記蓋Ｂ１５を閉じることで、前記ミスト発生容器１３は密閉され、されに収納容器１２とミスト発生容器１３の接合部には、両容器を連通する孔１６が構成されている。
【００２０】
前記ミスト発生容器１３は、隔壁１７を境として上方を上ブロック１８、下方を下ブロック１９として分断されており、前記隔壁１７には、ミスト液を超音波で霧化させるミスト発生手段２０が、Ｏリング２１を介して固定され、さらにミスト液を電解する、陽極２２及び陰極２３が設けられると共に、ミスト発生手段２０及び陽極２２及・陰極２３は、電線２４で制御部２５と電気的に接続される。
【００２１】
前記ミスト発生手段２０は、振動部２６上方近傍のミスト液に超音波を伝達し、粒径１０μｍ程度のミストに霧化させる様になっており、さらに前記Ｏリング２１は、前記ミスト発生手段２０と隔壁１７の間で圧接され、密閉されることで、上ブロック１８内の液体は、下ブロック１９に移動しないように構成されている。
【００２２】
前記ミスト発生容器１３の孔１６の反対側壁面には、開口２７を介してファン２８が設けられ、前記ファン２８を回転させることで、外気をミスト発生容器１３内に強制的に取り込む様になっており、さらに前記ミスト発生手段２０とファン２８の間には、ミスト発生手段２０から発する水しぶきが外部に飛び出すことを止める壁２９が、隔壁１７の一部分として構成されている。
【００２３】
陽極２２・陰極２３上方には、上ブロック１８内の水位を検出する、水位検出手段３０が設けられている。前記水位検出手段３０は、比重がミスト液よりも小さいフロート３１を先端に設けた回動軸３２と、検出スイッチ３３から構成されており、蓋Ｂ１５からミスト液を入れたとき、フロート３１の浮力により、回動軸３２は回動中心３４を中心として左方向に回動し、操作部３５が附勢部３６を附勢することで、前記検出スイッチ３３が規定以上の水位があることを検出し、このときミスト発生手段２０は動作し、逆に前記附勢部３６が操作部３５により附勢されないときには、前記検出スイッチ３３は規定以下の水位であることを判断し、ミスト発生手段２０への通電を中止し、空気中でミスト発生手段２０が異常に振動し、破損することを防止する。（実施の形態１の構成）
以上のように構成された除菌器において、以下その動作、作用を説明する。
【００２４】
収納容器１２上方の蓋Ａ１４を開け、被除菌物を収納容器１２内に収納し、蓋Ａ１４を閉じ、次にミスト発生容器１３上方の蓋Ｂ１５を開け、ミスト発生手段２０の振動部２６が十分漬かり、且つ水位検出手段３０の検出スイッチ３３が附勢される水位まで塩水を入れ、前記蓋Ｂ１５を閉じた後、制御部２５の起動スイッチを投入する。
起動スイッチ投入後、陽極２２を＋極、及び陰極２３を−極として所定時間通電され、電解動作が開始される。電解時の陽極２２近傍では、化学式１に示した反応が生じて次亜塩素酸が含まれる酸性水が生成される。
【００２５】
【数１】
2006158569.tif 000003
【００２６】
一方、陰極２３近傍では、化学式２に示した反応が生じて水酸基ＯＨ―を中和するためＮａ+移動し、アルカリ水が生成される。
【００２７】
【数２】
2006158569.tif 000004
【００２８】
ここでは隔膜の無い無隔膜電解のため、陽極２２近傍で生成された次亜塩素酸を含む酸性水と、陰極２３近傍で生成されたアルカリ性水は、混合中和されて次亜塩素酸を含んだ略中性の溶液となり、この溶液に含まれている次亜塩素酸成分（ＨＣｌＯ）の働きで、この溶液を噴霧・塗布することにより、布巾やぬいぐるみ等の除菌ができる。
【００２９】
一定時間の電解動作後、ミスト発生手段２０を通電させ、振動部２６近傍の溶液に超音波の振動を与え、溶液を霧化させてミストを発生させると共に、ファン２８を回転させ、ミスト発生容器１３内に外気を強制的に送り込み、内部に充満している溶液のミストを、孔１６を通過して収納容器１２内に送り込む動作を行う。この次亜塩素酸を含んだミストが被除菌物と接触することにより、被除菌物が除菌されることとなるが、ミストの粒径が１０μｍ程度と十分小さいため、例えばぬいぐるみの毛根部や哺乳瓶の奥までも十分次亜塩素酸が到達し、十分な除菌効果を発揮できるものである。
【００３０】
またこのとき、ファン２８の回転数を変化させることにより、導入する外気の量を調整し、収納容器１２内に送り込むミストの量を調整することができ、例えば被除菌物の量が少ない場合には、ミスト液の使用量を抑え、消費量を節約することができると共に、ファン２８の前方にミスト発生手段２０を設け、さらにその前方に孔１６を設ける構成としたため、ファン２８で導入した外気が、ミスト発生手段２０を経由してスムーズに孔１６に流れ、効率よくミストを収納容器１２に運ぶことができる。
【００３１】
さらにミスト発生手段２０が動作している間には、超音波を伝達させるために大きな水しぶきが発生するが、ミスト発生手段２０とファン２８の間に設けた壁２９が、水しぶきをブロックするため、開口２７を通じて水しぶきが機器外部に飛び出すこともなく、周囲の環境を快適に保つことができる。
【００３２】
除菌動作を連続して実施すると、上ブロック１８内の溶液が消費され、その水位が低下するが、そのため水位検出手段３０のフロート３１が下方向に移動し、回動軸３２が右方向に回動し、操作部３５が附勢部３６への附勢を解除すると、検出スイッチ３３が水位の低下を検知し、ミスト発生手段２０の動作を停止し、空気中で振動部２６が異常に振動することによるミスト発生手段２０の破損を防止できる。このとき水位の検出を、構造が簡単なフロート３１を使用しているため、確実に動作できるものである。
【００３３】
また電解動作時には、ミスト発生容器１３内に陽極２２・陰極２３の電極を設け、前記ミスト発生容器１３内で直接電解を行い、ミスト発生手段２０でミストへの霧化を行うため、電解水を他機器内部に移動させたりすることがなく、簡単に操作ができる。
【００３４】
さらに被除菌物を収納容器１２内に入れた後、電解・霧化・除菌の一連の動作を、自動で行うことができるため、作業者の手を煩わすこともなく、非常に簡単に除菌動作を行うことができるものである。
【００３５】
なお本実施の形態では、電解水を霧化して除菌動作を行ったが、アルコール等の液体を使用し、電解することなくすぐに霧化・除菌の動作を行っても、同様の効果が得られることは言うまでもない。
【産業上の利用可能性】
【００３６】
以上のように、本発明にかかる清掃器によれば、安価かつ簡単にぬいぐるみ等の毛根まで除菌でき、清潔で使いやすく、操作が簡単で、耐久性にも優れた清掃器を実現することができる。
【図面の簡単な説明】
【００３７】
【図１】本発明の実施の形態１を示す清掃器の断面図
【図２】同、清掃器のフタを取り外した状態を示す平面図
【図３】従来のぬいぐるみのクリーナーの外観図
【符号の説明】
【００３８】
１１  清掃器本体
１２  収納容器
１３  ミスト発生容器
１６  孔
２０  ミスト発生手段
２２  陽極
２３  陰極
２８  ファン
２９  壁
３０  水位検出手段
３１  フロート
３３  検出スイッチ
【図１】
2006158569.tif 000005
【図２】
2006158569.tif 000006
【図３】
2006158569.tif 000007